(57)【要約】【課題】電子機器を厚み方向において薄型化する技術を提供する。【解決手段】スマートフォン１０（電子機器）は、バッテリー筐体１３（筐体）と、シート１６ａと、マイク１５ｇ（変換素子）と、を備える。バッテリー筐体１３は、扁平形状であるバッテリー筐体１３（筐体）であって、バッテリー筐体１３の厚み方向Tに対して実質的に直交するバッテリー筐体背面１３ｂ（面）と、バッテリー筐体背面１３ｂ上で厚み方向Tに対して実質的に直交する方向に延びる通気溝１３ｄ（溝）と、を有する。シート１６ａは、通気溝１３ｄを覆うことで、厚み方向Tに対して実質的に直交する方向に延びるダクト１８（第1通気路）を形成する。マイク１５ｇは、ダクト１８を伝播する音波を電気信号に変換する。【選択図】図１
2014220635.tif 000002
【特許請求の範囲】
【請求項１】
扁平形状である筐体であって、前記筐体の厚み方向に対して実質的に直交する面と、前記面上で前記厚み方向に対して実質的に直交する方向に延びる溝と、を有する筐体と、
前記溝を覆うことで、前記厚み方向に対して実質的に直交する方向に延びる第1通気路を形成する、シート又はフィルムと、
前記第1通気路を伝播する音波を電気信号に変換する変換素子と、
を備えた電子機器。
【請求項２】
請求項１に記載の電子機器であって、
前記第1通気路は、前記電子機器の外部に通じている、
電子機器。
【請求項３】
請求項２に記載の電子機器であって、
前記第1通気路は、前記厚み方向に対して実質的に直交する方向に開口している、
電子機器。
【請求項４】
請求項３に記載の電子機器であって、
前記筐体は、電池を収容可能な電池収容凹部を有し、
前記電子機器は、更に、前記電池収容凹部に収容された前記電池を覆うカバーを備え、
前記カバーは、前記シート又はフィルムを覆う、
電子機器。
【請求項５】
請求項１〜４の何れかに記載の電子機器であって、
前記筐体は、前記第1通気路を伝播する前記音波が前記変換素子に到達できるよう、前記第1通気路と前記変換素子の間に、第2通気路を有する、
電子機器。
【請求項６】
請求項５に記載の電子機器であって、
前記第２通気路は、前記第１通気路の長手方向に対して実質的に直交する方向に延びる、
電子機器。
【請求項７】
請求項６に記載の電子機器であって、
前記第２通気路は、前記厚み方向に延びる、
電子機器。
【請求項８】
請求項７に記載の電子機器であって、
前記第１通気路と前記第２通気路、前記変換素子は、前記厚み方向においてこの順に配置される、
電子機器。
【請求項９】
請求項１〜８に記載の電子機器であって、
前記シート又はフィルムは、アンテナを構成する導体を有する、
電子機器。
【請求項１０】
扁平形状である筐体であって、前記筐体の厚み方向に対して実質的に直交する面と、前記面上で前記厚み方向に対して実質的に直交する方向に延びる溝と、を有する筐体と、
前記溝を覆うことで、前記厚み方向に対して実質的に直交する方向に延びる第1通気路を形成する、シート又はフィルムと、
前記第1通気路を伝播する音波を電気信号に変換する変換素子と、
を備え、
前記筐体は、前記第1通気路を伝播する前記音波が前記変換素子に到達できるよう、前記第1通気路と前記変換素子の間に、第2通気路を有する、
電子機器の気密検査方法であって、
順に、
（１）前記シート又はフィルムで前記溝を覆う前に前記第2通気路を塞いで気密検査を実行し、
（２）前記気密検査後、前記第２通気路の閉塞を解いて、前記シート又はフィルムで前記溝を覆う、
電子機器の気密検査方法。
【発明の詳細な説明】
【技術分野】
【０００１】
本発明は、電子機器及びその気密検査方法に関する。
【背景技術】
【０００２】
この種の技術として、特許文献１は、液晶パネルが設けられた表示部筐体ケースと、表示部筐体ケースに対してスライド可能に取り付けられた操作部筐体ケースと、を備えた無線通信端末装置を開示している。表示部筐体ケースの側面には、外部の音波を集音する集音孔が形成されている。表示部筐体ケース内には、集音孔に接続する管状のダクトが形成されていると共に、マイクが収容されている。以上の構成で、集音孔によって集音された外部の音波は、管状のダクトを通ってマイクに伝達される。なお、管状のダクトは、表示部筐体ケースの厚み方向に対して直交する方向に延びている。
【先行技術文献】
【特許文献】
【０００３】
【特許文献１】特開2010-130106号公報
【発明の概要】
【発明が解決しようとする課題】
【０００４】
上記特許文献１の構成には、薄型化の面において改善の余地が残されている。
【０００５】
本発明の目的は、電子機器を薄型化する技術を提供することにある。
【課題を解決するための手段】
【０００６】
扁平形状である筐体であって、前記筐体の厚み方向に対して実質的に直交する面と、前記面上で前記厚み方向に対して実質的に直交する方向に延びる溝と、を有する筐体と、前記溝を覆うことで、前記厚み方向に対して実質的に直交する方向に延びる第1通気路を形成する、シート又はフィルムと、前記第1通気路を伝播する音波を電気信号に変換する変換素子と、を備えた電子機器が提供される。
【０００７】
扁平形状である筐体であって、前記筐体の厚み方向に対して実質的に直交する面と、前記面上で前記厚み方向に対して実質的に直交する方向に延びる溝と、を有する筐体と、前記溝を覆うことで、前記厚み方向に対して実質的に直交する方向に延びる第1通気路を形成する、シート又はフィルムと、前記第1通気路を伝播する音波を電気信号に変換する変換素子と、を備え、前記筐体は、前記第1通気路を伝播する前記音波が前記変換素子に到達できるよう、前記第1通気路と前記変換素子の間に、第2通気路を有する、電子機器の気密検査方法であって、順に、（１）前記シート又はフィルムで前記溝を覆う前に前記第2通気路を塞いで気密検査を実行し、（２）前記気密検査後、前記第２通気路の閉塞を解いて、前記シート又はフィルムで前記溝を覆う、電子機器の気密検査方法が提供される。
【発明の効果】
【０００８】
以上の構成によれば、前記電子機器を、前記厚み方向において薄型化することができる。
【図面の簡単な説明】
【０００９】
【図１】図1は、スマートフォンの部分断面図である。（第1実施形態）
【図２】図2は、スマートフォンの分解斜視図である。（第2実施形態）
【図３】図3は、スマートフォンの部分断面図である。（第2実施形態）
【図４】図4は、スマートフォンの部分断面図である。（第3実施形態）
【図５】図5は、スマートフォンの部分断面図である。（第3実施形態）
【図６】図6は、スマートフォンの部分断面図である。（第4実施形態）
【図７】図7は、スマートフォンの分解斜視図である。（第4実施形態）
【発明を実施するための形態】
【００１０】
（第1実施形態）
図１に示すように、スマートフォン１（電子機器）は、扁平形状である筐体２と、例えばポリイミド製のシート３と、マイク４（変換素子）と、を備える。
【００１１】
筐体２は、筐体２の厚み方向に対して実質的に直交する面５と、面５上で厚み方向に対して実質的に直交する方向に延びる溝６と、を有する。
【００１２】
シート３は、溝６を覆うことで、厚み方向に対して実質的に直交する方向に延びるダクト７（第１通気路）を形成する。
【００１３】
マイク４は、ダクト７を伝播する音波を電気信号に変換する変換素子である。
【００１４】
以上の構成によれば、スマートフォン１を、厚み方向において薄型化することができる。
【００１５】
（第２実施形態）
次に、図２及び図３を参照して、第２実施形態を説明する。
【００１６】
図２及び図３に示すように、スマートフォン１０（電子機器）は、スクリーン１１と、スクリーン筐体１２と、バッテリー筐体１３（筐体）と、背面カバー１４（カバー）と、マイクアッセンブリー１５と、ダクトアッセンブリー１６と、を備える。スマートフォン１０は、バッテリー１７（電池）を着脱自在に搭載する。
【００１７】
図３に示すように、スクリーン１１、スクリーン筐体１２、バッテリー筐体１３、背面カバー１４は、この順に積層される。マイクアッセンブリー１５は、スクリーン筐体１２とバッテリー筐体１３の間に搭載される。ダクトアッセンブリー１６は、バッテリー筐体１３と背面カバー１４の間に搭載される。
【００１８】
スクリーン１１及びスクリーン筐体１２、バッテリー筐体１３、背面カバー１４は、何れも扁平形状である。即ち、スクリーン１１及びスクリーン筐体１２、バッテリー筐体１３、背面カバー１４は、何れも薄板状である。従って、スマートフォン１０自体も扁平形状であるし、薄板状でもある。
【００１９】
ここで、図２及び図３を参照して、「厚み方向T」及び「長手方向L」「短手方向S」を定義する。厚み方向Tは、スマートフォン１０の厚み方向である。厚み方向Tのうち、スクリーン筐体１２からバッテリー筐体１３を見る方向を厚み背面方向とし、バッテリー筐体１３からスクリーン筐体１２を見る方向を厚み前面方向とする。スマートフォン１０を厚み方向Tで見ると、スマートフォン１０は、長辺と、長辺よりも短い短辺と、を有する。即ち、スマートフォン１０は、厚み方向Tで見たとき、長手方向Lと短手方向Sを有する。長手方向Lのうち、スマートフォン１０の中央から離れる方向を長手離間方向とし、スマートフォン１０の中央に近づく方向を長手近接方向とする。同様に、短手方向Sのうち、スマートフォン１０の中央から離れる方向を短手離間方向とし、スマートフォン１０の中央に近づく方向を短手近接方向とする。
【００２０】
スクリーン筐体１２及びバッテリー筐体１３、背面カバー１４は、何れも射出成形によって形成された樹脂成形品である。
【００２１】
スクリーン１１は、例えば液晶ディスプレイである。
【００２２】
スクリーン筐体１２は、スクリーン１１を保持する筐体である。スクリーン筐体１２は、厚み前面方向を向くスクリーン筐体前面１２ａと、厚み背面方向を向くスクリーン筐体背面１２ｂと、を有する。スクリーン筐体前面１２ａには、スクリーン１１が収容されるスクリーン筐体第１収容凹部１２ｃが形成されている。スクリーン筐体背面１２ｂには、マイクアッセンブリー１５が収容されるスクリーン筐体第２収容凹部１２ｄが形成されている。スクリーン筐体背面１２ｂ上には、環状のシール部材１２ｅが搭載されている。シール部材１２ｅは、スクリーン筐体１２とバッテリー筐体１３との間の空間Wの防水性を実現する。
【００２３】
バッテリー筐体１３は、バッテリー１７を着脱自在に保持する筐体である。バッテリー筐体１３は、厚み前面方向を向くバッテリー筐体前面１３ａと、厚み背面方向を向くバッテリー筐体背面１３ｂ（面）と、長手離間方向を向くバッテリー筐体側面１３ｃと、を有する。バッテリー筐体背面１３ｂには、通気溝１３ｄ（溝）とシート設置部１３ｅ、バッテリー収容凹部１３ｐ（電池収容凹部）が形成されている。通気溝１３ｄは、長手方向Lに延びて形成されている。通気溝１３ｄは、バッテリー筐体側面１３ｃに至るまで形成されている。バッテリー筐体１３は、通気溝１３ｄの厚み前面方向側の境界となる通気溝底面１３ｆと、通気溝１３ｄの短手方向Sの境界となる一対の通気溝側面１３ｇと、通気溝１３ｄの長手近接方向側の境界となる通気溝末端面１３ｈと、を有する。シート設置部１３ｅは、ダクトアッセンブリー１６を設置する部分である。シート設置部１３ｅは、バッテリー筐体背面１３ｂを厚み前面方向に若干凹ませることで形成されている。シート設置部１３ｅは、厚み前面方向で見て、通気溝１３ｄを取り囲むように形成されている。バッテリー筐体１３は、連絡通気路１３ｉを更に有する。連絡通気路１３ｉは、厚み方向Tに延びて形成されている。連絡通気路１３ｉは、バッテリー筐体前面１３ａと通気溝底面１３ｆに至るまで形成されている。連絡通気路１３ｉは、バッテリー筐体前面１３ａと通気溝底面１３ｆの間に形成されている。連絡通気路１３ｉは、厚み前面方向で見て略円形に形成されている。連絡通気路１３ｉは、通気溝底面１３ｆの長手近接方向側の末端部１３ｊに接続している。バッテリー収容凹部１３ｐは、バッテリー１７を収容するための凹部である。
【００２４】
背面カバー１４は、バッテリー１７を覆い隠すためのカバーである。背面カバー１４は、カバー本体部１４ａと、カバー環状部１４ｂと、を有する。カバー本体部１４ａは、厚み方向Tに対して直交する薄板である。カバー環状部１４ｂは、カバー本体部１４ａの周縁から厚み前面方向に突出する環状の部分である。カバー環状部１４ｂには、カバー音孔１４ｃが形成されている。カバー音孔１４ｃは、バッテリー筐体１３の通気溝１３ｄに対して長手方向Lで対向する。
【００２５】
マイクアッセンブリー１５は、順に、防水両面テープ１５ａと、通気性シート１５ｂと、両面テープ１５ｃと、クッションシート１５ｄと、補強板１５ｅと、FPC１５ｆ（Flexible Printed Circuits）と、マイク１５ｇ（変換素子）、クッションシート１５ｈと、を積層して構成される。
【００２６】
防水両面テープ１５ａは、防水性を有する両面テープである。防水両面テープ１５ａには、通気孔が形成されている。通気性シート１５ｂは、防塵性及び防水性、通気性を有するシートである。両面テープ１５ｃには、通気孔が形成されている。クッションシート１５ｄは、クッション性を有するシートである。クッションシート１５ｄには、通気孔が形成されている。補強板１５ｅは、FPC１５ｆに貼り付けられることで、FPC１５ｆの剛性を確保する。補強板１５ｅには、通気孔が形成されている。FPC１５ｆには、通気孔が形成されている。マイク１５ｇは、音波を電気信号に変換する素子である。マイク１５ｇは、FPC１５ｆに固定されている。マイク１５ｇは、FPC１５ｆと電気的に接続されている。クッションシート１５ｈは、クッション性を有するシートである。
【００２７】
ダクトアッセンブリー１６は、シート１６ａと、両面テープ１６ｂと、を有する。シート１６ａは、両面テープ１６ｂを介してバッテリー筐体１３のシート設置部１３ｅに取り付けられる。シート１６ａは、通気溝１３ｄを覆う。シート１６ａが通気溝１３ｄを覆うことで、ダクト１８（第１通気路、集音経路、音波通気路）が形成される。ダクト１８は、通気溝１３ｄと同様、長手方向Lに延びる。従って、ダクト１８は、長手方向Lに開口している。ダクト１８は、バッテリー筐体側面１３ｃに開口している。ダクト１８は、長手方向Lにおいて、カバー音孔１４ｃと通じている。従って、ダクト１８は、スマートフォン１０の外部に通じている。ダクト１８は、背面カバー１４のカバー環状部１４ｂによって閉塞されることはない。ダクト１８は、連絡通気路１３ｉに通じている。ダクトアッセンブリー１６は、背面カバー１４によって覆われている。
【００２８】
そして、スマートフォン１０の使用者による発音などに起因して、スマートフォン１０の外部で発生した音波は、順に、背面カバー１４のカバー音孔１４ｃと、ダクト１８と、連絡通気路１３ｉと、マイクアッセンブリー１５の各要素の通気孔と、を伝播してマイク１５ｇに到達する。
【００２９】
以上に、第２実施形態を説明したが、第２実施形態は、以下の特長を有する。
【００３０】
（１）スマートフォン１０（電子機器）は、バッテリー筐体１３（筐体）と、シート１６ａと、マイク１５ｇ（変換素子）と、を備える。バッテリー筐体１３は、扁平形状であるバッテリー筐体１３（筐体）であって、バッテリー筐体１３の厚み方向Tに対して実質的に直交するバッテリー筐体背面１３ｂ（面）と、バッテリー筐体背面１３ｂ上で厚み方向Tに対して実質的に直交する方向に延びる通気溝１３ｄ（溝）と、を有する。シート１６ａは、通気溝１３ｄを覆うことで、厚み方向Tに対して実質的に直交する方向に延びるダクト１８（第1通気路）を形成する。マイク１５ｇは、ダクト１８を伝播する音波を電気信号に変換する。以上の構成によれば、スマートフォン１０を、厚み方向Tにおいて薄型化することができる。
【００３１】
なお、通気溝１３ｄを覆うものとしてシート１６ａに代えてフィルムでもよい。
【００３２】
（２）ダクト１８は、スマートフォン１０の外部に通じている。以上の構成によれば、外部で発生した音波がダクト１８に取り込まれる。
【００３３】
（３）ダクト１８は、厚み方向Tに対して実質的に直交する方向に開口している。以上の構成によれば、ダクト１８の開口が目につきにくい場所に位置するので、スマートフォン１０の外観が良好になる。
【００３４】
（４）バッテリー筐体１３は、バッテリー１７（電池）を収容可能なバッテリー収容凹部１３ｐ（電池収容凹部）を有する。スマートフォン１０は、更に、バッテリー収容凹部１３ｐに収容されたバッテリー１７を覆う背面カバー１４（カバー）を備える。背面カバー１４は、シート１６ａを覆う。以上の構成によれば、シート１６ａが露出しないので、スマートフォン１０の外観が良好になる。
【００３５】
（５）バッテリー筐体１３は、ダクト１８を伝播する音波がマイク１５ｇに到達できるよう、ダクト１８とマイク１５ｇの間に、連絡通気路１３ｉ（第2通気路）を有する。以上の構成によれば、ダクト１８を伝播する音波がマイク１５ｇに到達できる。
【００３６】
（６）連絡通気路１３ｉは、ダクト１８の長手方向に対して実質的に直交する方向に延びる。
【００３７】
（７）連絡通気路１３ｉは、厚み方向Tに延びる。
【００３８】
（８）ダクト１８と連絡通気路１３ｉ、マイク１５ｇは、厚み方向Tにおいてこの順に配置される。
【００３９】
（第３実施形態）
次に、図４及び図５を参照しつつ、第３実施形態を説明する。ここでは、本実施形態が上記第２実施形態と異なる点を中心に説明し、重複する説明は適宜省略する。また、上記第２実施形態の各構成要素に対応する構成要素には原則として同一の符号を付すこととする。
【００４０】
図３に示すように、上記第２実施形態では、空間Wの気密検査をするに際し、空間Wと外部が通気性シート１５ｂやダクト１８等を介して通じているので、空間Wの気密検査が困難である。そこで、本実施形態では、気密検査を、順に、（１）シート１６ａで通気溝１３ｄを覆う前に、図４に示すように、連絡通気路１３ｉを塞いで空間Wの気密検査を実行し、（２）気密検査後、連絡通気路１３ｉの閉塞を解いて、図５に示すように、シート１６ａで通気溝１３ｄを覆うようにしている。この方法によれば、問題なく、空間Wの気密検査を実行することができる。
【００４１】
なお、図４に示すように、上記の気密検査方法では、連絡通気路１３ｉを閉塞するのに粘着シート１９を用いている。また、粘着シート１９によって連絡通気路１３ｉを確実に閉塞できるよう、連絡通気路１３ｉは、通気溝末端面１３ｈから若干長手離間方向側に離れて形成されている。図４及び図５には、背面カバー１４が描かれていない。背面カバー１４は、気密検査が完了し、ダクトアッセンブリー１６をバッテリー筐体１３に取り付け、バッテリー１７をバッテリー筐体１３に搭載した後に、バッテリー筐体１３に取り付けられる。
【００４２】
（第４実施形態）
次に、図６及び図７を参照しつつ、第４実施形態を説明する。ここでは、本実施形態が上記第２実施形態と異なる点を中心に説明し、重複する説明は適宜省略する。また、上記第２実施形態の各構成要素に対応する構成要素には原則として同一の符号を付すこととする。
【００４３】
本実施形態において、バッテリー筐体１３は、リブ１３ｋを有する。リブ１３ｋは、通気溝１３ｄの長手離間方向側の末端部１３ｍに配置されている。リブ１３ｋは、ダクトアッセンブリー１６の長手離間方向側の端面１６ｃに対して長手方向Lで対向する。以上の構成によれば、背面カバー１４を外している際に、ダクトアッセンブリー１６の長手離間方向側の端面１６ｃに触れ難くなるので、ダクトアッセンブリー１６に対してダクトアッセンブリー１６をバッテリー筐体１３から剥離させるような外力が加わり難くなる。
【００４４】
また、図７に示すように、本実施形態において、シート１６ａは、FPCである。シート１６ａは、アンテナを構成する導体２０を有する。図７に示すように、両面テープ１６ｂには、電気孔２１が形成されている。シート１６ａの導体２０は、両面テープ１６ｂの電気孔２１を通って、バッテリー筐体１３のバッテリー筐体背面１３ｂの導体２２と電気的に接触する。両面テープ１６ｂの存在により、シート１６ａの導体２０と、バッテリー筐体１３の導体２２と、の電気的接触には防水性が確保される。
【符号の説明】
【００４５】
１０  スマートフォン
１３  バッテリー筐体
１３ｂ  バッテリー筐体背面
１３ｄ  通気溝
１５ｇ  マイク
１６ａ  シート
１８  ダクト
T  厚み方向
【図１】
2014220635.tif 000003
【図２】
2014220635.tif 000004
【図３】
2014220635.tif 000005
【図４】
2014220635.tif 000006
【図５】
2014220635.tif 000007
【図６】
2014220635.tif 000008
【図７】
2014220635.tif 000009